(57)【要約】  本発明では、缶巻締部断面と缶巻締部シワとをＸ線で検査するための位置決め装置であって、Ｘ線出射口領域に被検査缶用第１の止め要素を付設されたＸ線源と、Ｘ線を受信するための検出器とを含むものに関する。このため、互いにずらして配置される少なくとも３つの止め要素によって前記被検査缶が前記Ｘ線源に対して位置決め可能であり、さまざまな缶直径及び所望の入射角度に適応可能にするために前記止め要素の内の２つが、該止め要素の内の２つにおける位置を積極的に変更可能とする構成となっていることが提案される。【選択図】図１
2012506773.tif 000002
【特許請求の範囲】
【請求項１】
缶巻締部断面と缶巻締部シワとをＸ線で検査することに用いられる位置決め装置であって、
Ｘ線出射口領域に被検査缶用の第１の止め要素を付設されたＸ線源と、Ｘ線を受信する検出器とを含む位置決め装置において、
互いにずらして配置されるとともに前記第１の止め要素を含む少なくとも３つの止め要素によって、前記被検査缶が前記Ｘ線源に対して位置決め可能に構成されており、
さまざまな缶直径及び所望の入射角度への適応を可能にするために、前記止め要素の内の２つが、該止め要素の内の２つにおける位置を積極的に変更可能とするように構成されていることを特徴とする、位置決め装置。
【請求項２】
第２の前記止め要素が、Ｘ線出射方向に対して垂直に前記Ｘ線源に向かって及び前記Ｘ線源から離れるように移動可能な止め面となっていることを特徴とする、請求項１に記載の位置決め装置。
【請求項３】
第３の前記止め要素が、外側から缶周面に接近可能かつ駆動可能なローラと、半径方向外方に向かって缶の内周面に接近可能な顎部とを有する回転装置によって構成されていることを特徴とする、請求項１又は２に記載の位置決め装置。
【請求項４】
前記止め面がアクチュエータによって移動可能に構成されていることを特徴とする、請求項２に記載の位置決め装置。
【請求項５】
前記顎部を有する前記回転装置が摺動台上に配置されており、
前記摺動台がガイド上で移動可能に構成されており、
前記ガイドがそれ自身２０°〜３０°、特に２７．２°の角度で、前記Ｘ線源の方向を向くように構成され、
前記回転装置が前記摺動台上で垂直軸線の周りを回転可能又は旋回可能に構成されていることを特徴とする、請求項３に記載の位置決め装置。
【請求項６】
前記第２の止め面が前記缶巻締部用の水平な支持部を有していることを特徴とする、請求項１〜５のいずれか一項に記載の位置決め装置。
【発明の詳細な説明】
【技術分野】
【０００１】
本発明は、缶巻締部断面と缶巻締部シワとをＸ線で検査することに用いられる請求項１の前文に記載した位置決め装置に関する。
【背景技術】
【０００２】
缶巻締部断面の測定には２つの基本的方法、つまり一方で缶巻締部を破壊する検査方法と他方で非破壊検査とが知られている。
【０００３】
最初に指摘した方法の例として特許文献１を挙げることができる。
【０００４】
この文献により缶巻締部断面の測定装置が公知であり、この缶巻締部断面は半径方向に延びる鋸切断面で缶切片を鋸引きすることによって得られる。缶は次に蓋側を下に向けて測定テーブルに載せられる。切断面は照明装置によって照明され、ビデオカメラで撮影することができる。
【０００５】
他方で缶巻締部断面は缶巻締部を破壊することなくＸ線で検査することができる。
【０００６】
そのため、Ｘ線は缶巻締部に対して特定角度で向けられ、適宜に配置された検出器によって受信される。その例が特許文献２又は特許文献３である。
【０００７】
Ｘ線によるこの検査では、「シーム・メジャメント（seam measurement）」とも称される巻締部計測と「リンクル・メジャメント（wrinkle measurement）」と称されるシワ検査とが区別されている。
【０００８】
両方の検査方法においてＸ線が缶巻締部に衝突する角度は異なる。
【０００９】
巻締部計測ではＸ線が半径方向で缶巻締部に直接衝突するのに対して、シワ検査では斜め照射によって切片が検査される。
【００１０】
放射源は一定の位置に配置されており、所要の検出器も同様であり、検出器はさまざまな位置に配置されている。付加的に、その都度必要な角度が設定されるように放射源を基準に缶又は缶巻締部の位置合せが必要である。
【００１１】
従って、缶の移動又はさまざまな位置決めが不可避的に必要である。
【００１２】
しかし、両方の検査方法において１つの要因がきわめて重要である。詳細に述べるなら、検査は缶の１箇所について行われるだけでなく、缶を自己の軸線の周りで回転させることによって検査全体について絶えず新たな領域が、しかも再現可能に、利用可能とされねばならない。
【００１３】
手で移すと、止め要素が設けられている場合でも、再現可能な結果はもたらされない。
【先行技術文献】
【特許文献】
【００１４】
【特許文献１】独国特許発明第１９９３０５３６号明細書
【特許文献２】米国特許第６９５３９３３号明細書
【特許文献３】英国特許出願公開第２２１５８３４号明細書
【発明の概要】
【発明が解決しようとする課題】
【００１５】
そこで本発明の課題は、再現可能に作動し、こうして特に自動検査用にも利用することのできる缶巻締部断面及び缶巻締部形成（Dosenfalzbildung）の検査用の缶位置決め装置を提供することである。
【課題を解決するための手段】
【００１６】
この課題は本発明によれば、缶巻締部断面をＸ線で検査するための位置決め装置であって、Ｘ線出射口領域に被検査缶用の第１の止め要素を付設されたＸ線源と、互いにずらして配置される少なくとも３つの止め要素とによって、被検査缶がＸ線源に対して位置決め可能であることを特徴とする、Ｘ線受信検出器とを含み、さまざまな缶直径及び所望の入射角度に適応可能とするために、これらの止め要素の内の２つが、該止め要素の内の２つにおける位置を積極的に変更可能とするように構成されることによって解決される。
【００１７】
そのため、第２の止め要素は、Ｘ線出射方向に対して垂直にＸ線に向かって及びＸ線から離れて移動可能な止め面となっている。
【００１８】
さらに、第３の止め要素は、外側から缶周面に接近可能かつ駆動可能なローラと、半径方向外方へと缶の内周面に接近可能な顎部とを有する回転装置から成る。
【００１９】
第２の止め面の位置を積極的に変更することは、止め面がアクチュエータによって移動可能であることによって達成することができる。
【００２０】
顎部を有する回転装置が摺動台上に配置され、この摺動台がガイド上で移動可能であり、このガイドがそれ自身２０°〜３０°、特に２７．２°の角度で、Ｘ線源の方向を向き、摺動台がガイドに対してガイドに垂直な軸線の周りを回転可能又は旋回可能であるように、回転装置は構成されている。
【００２１】
他の一つの構成によれば、第２の止め面は缶巻締部用の水平な支持部を有する。
【００２２】
以下、図面を参考に本装置の動作様式を説明する。
【図面の簡単な説明】
【００２３】
【図１】本発明に係る装置の概略を示す斜視図である。
【発明を実施するための形態】
【００２４】
予め述べておくならば、缶巻締部の検査時に当然さまざまな缶直径が生じ、すなわち本装置はこのさまざまな直径に問題なく迅速に適応可能であることを必要とする。
【００２５】
さらに考慮すべき点として、Ｘ線出射口は‐冒頭に触れたように‐検出器の位置と同様に一定の位置に配置されている。
【００２６】
それとともに、まず被検査缶２用の止め面、前記第１の止め面１２はＸ線出射領域１に設けられている。
【００２７】
Ｘ線出射口に垂直に配置される止め面３が、第２の止め要素として設けられており、この止め面は軸４上で、Ｘ線源に向かう方向又はＸ線源から離れる方向に移動可能となっている。
【００２８】
この止め面３はさまざまな缶直径用の基準線を形成するので決定的に重要である。
【００２９】
それとともに、さまざまな缶直径に適応するために、又は巻締部計測若しくは巻締部形成（Falzbildung）を行うために缶は、横方向に移動され、そのため、Ｘ線はもはや半径方向で缶巻締部に衝突するのでなく、切片に衝突することとなる。
【００３０】
本発明に係る装置には、このような移動可能な止め面３だけでなく、これに対向配置された回転装置９も付属しており、検査のためにこのような回転装置でそれぞれ別の缶切片を利用でき、換言すれば、缶がその軸線の周りで回転することとなる。
【００３１】
この回転装置９は、２つの駆動されるローラ１１で缶巻締部を検出し、缶２を所定の角度だけ回転させる。回転装置９に更に付属する顎部１０は、ローラ１１の間で空間的に配置されており、缶巻締部を内側から検出することができる。缶を基準にその移動方向が半径方向にあるこのような顎部１０は、検査用に用いられる缶２を、両方の止め面３，１２から僅かに持ち上げ、缶は止め面に沿って損傷することなく回転することができる。
【００３２】
缶の回転後、顎部１０は戻り、つまり巻締部の内壁から離れ、次に、回転用に設けられたローラ１１の半径方向圧力を受けて缶が両方の止め面３，１２に対して位置決めされる。
【００３３】
顎部１０とローラ１１とが摺動台８上に配置されており、この摺動台によって‐さまざまな缶直径に適応させるために‐缶に向かう方向又は缶から離れる方向へと協働して移動可能となっている。
【００３４】
そのため、更に回転装置９は、摺動台上で垂直軸の周りを回転可能又は旋回可能となっている。
【００３５】
両方の止め面の協動、つまりＸ線出射口領域の止め面と移動可能な止め面との協動は、移動可能な回転装置と一緒に、Ｘ線源を基準に被検査缶の特に再現可能な厳密な位置決めをもたらすこととなる。
【図１】
2012506773.tif 000003
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
缶巻締部断面と缶巻締部シワとをＸ線により検査することに用いられる位置決め装置であって、
Ｘ線出射口領域に被検査缶用の第１の止め要素を付設されたＸ線源と、Ｘ線を受信する検出器とを含む位置決め装置において、
互いにずらして配置される少なくとも３つの止め要素によって、前記被検査缶が前記Ｘ線源に対して位置決め可能に構成されており、
さまざまな缶直径及び所望の入射角度に適応可能とするために、前記止め要素の内の２つが、該止め要素の内の２つにおける位置を積極的に変更可能とするように構成されており、
第３の前記止め要素が、外側から缶周面に接近可能かつ駆動可能なローラと、半径方向外方へと缶の内周面に接近可能な顎部とを有する回転装置によって構成されていることを特徴とする、位置決め装置。
【請求項２】
第２の前記止め要素が、Ｘ線出射方向に対して垂直に前記Ｘ線源に向かって及び前記Ｘ線源から離れるように移動可能な止め面となっていることを特徴とする、請求項１に記載の位置決め装置。
【請求項３】
前記止め面がアクチュエータによって移動可能に構成されていることを特徴とする、請求項２に記載の位置決め装置。
【請求項４】
前記顎部を有する前記回転装置が摺動台上に配置されており、
前記摺動台がガイド上で移動可能に構成され、
前記ガイドが、それ自身２０°〜３０°、特に２７．２°の角度で、前記Ｘ線源の方向を向くように構成され、
前記回転装置が前記摺動台上で垂直軸線の周りを回転可能又は旋回可能に構成されていることを特徴とする、請求項１に記載の位置決め装置。
【請求項５】
前記第２の止め面が缶巻締部用の水平な支持部を有することを特徴とする、請求項１〜４のいずれか一項に記載の位置決め装置。
【国際調査報告】
2012506773.tif 000004
2012506773.tif 000005
2012506773.tif 000006
2012506773.tif 000007
2012506773.tif 000008
2012506773.tif 000009